(57)【要約】【課題】昇圧回路を有する電子機器において、低消費電力と速やかな高圧駆動を両立することができるようにする。【解決手段】電子機器であって、操作手段の操作を検出して第１の検出信号を生成する第１の信号検出手段と、少なくとも前記操作手段の操作確定を検出して第２の検出信号を生成する第２の信号検出手段と、電子機器の一部を高電圧で駆動するための駆動回路と、前記駆動回路のための高電圧を作る昇圧回路と、前記第１の信号検出手段からの前記第１の検出信号に応じて前記昇圧回路を起動するとともに、前記第２の信号検出手段からの前記第２の検出信号に応じて前記駆動回路による駆動を開始させる制御手段と、を有することを特徴とする。【選択図】図４
2020161946.tif 000002
【特許請求の範囲】
【請求項１】
操作手段の操作を検出して第１の検出信号を生成する第１の信号検出手段と、
少なくとも前記操作手段の操作確定を検出して第２の検出信号を生成する第２の信号検出手段と、
電子機器の一部を高電圧で駆動するための駆動回路と、
前記駆動回路のための高電圧を作る昇圧回路と、
前記第１の信号検出手段からの前記第１の検出信号に応じて前記昇圧回路を起動するとともに、前記第２の信号検出手段からの前記第２の検出信号に応じて前記駆動回路による駆動を開始させる制御手段と、を有することを特徴とする電子機器。
【請求項２】
前記駆動回路は振動手段を振動させるための駆動回路であることを特徴とする請求項１に記載の電子機器。
【請求項３】
前記駆動回路は電動モータを振動させるための駆動回路であることを特徴とする請求項１に記載の電子機器。
【請求項４】
前記駆動回路は照明手段を駆動させるための駆動回路であることを特徴とする請求項１に記載の電子機器。
【請求項５】
前記電子機器は撮像装置を含むことを特徴とする請求項１に記載の電子機器。
【請求項６】
前記操作手段は回転操作部材を含み、前記第１の信号検出手段は、前記回転操作部材の回転開始を検出することを特徴とする請求項１に記載の電子機器。
【請求項７】
前記第２の信号検出手段は、前記回転操作部材の回転操作が確定したことを検出して前記第２の検出信号を生成することを特徴とする請求項６に記載の電子機器。
【請求項８】
前記操作手段はタッチパネルを含み、前記第１の信号検出手段は、前記タッチパネルへの接近を検出することを特徴とする請求項１に記載の電子機器。
【請求項９】
前記第２の信号検出手段は、前記タッチパネルへの接触を検出して前記第２の検出信号を生成することを特徴とする請求項８に記載の電子機器。
【請求項１０】
前記操作手段はチャタリングを生じるメカスイッチを含み、前記第１の信号検出手段は、前記メカスイッチの出力信号の変化を検出することを特徴とする請求項１に記載の電子機器。
【請求項１１】
前記第２の信号検出手段は、前記メカスイッチの操作開始後のチャタリング終了後の出力信号を検出して前記第２の検出信号を生成することを特徴とする請求項１０に記載の電子機器。
【請求項１２】
前記第１の信号検出手段は、前記タッチパネルの静電容量が第１の閾値よりも大きくなったことを検出することを特徴とする請求項８に記載の電子機器。
【請求項１３】
前記第２の信号検出手段は、前記タッチパネルの静電容量が第２の閾値よりも大きくなったことを検出することを特徴とする請求項８に記載の電子機器。
【請求項１４】
前記第２の信号検出手段は、電源電圧または前記昇圧回路の入力電圧があらかじめ決められた電圧に到達したことを条件として前記第２の検出信号を生成することを特徴とする請求項１に記載の電子機器。
【請求項１５】
電子機器の一部を高電圧で駆動するための駆動回路と、
前記駆動回路のための高電圧を作る昇圧回路と、を有する電子機器のための制御方法であって、
操作手段の操作を検出して第１の検出信号を生成する第１の信号検出ステップと、
少なくとも前記操作手段の操作確定を検出して第２の検出信号を生成する第２の信号検出ステップと、
前記第１の信号検出ステップによる前記第１の検出信号に応じて前記昇圧回路を起動するとともに、前記第２の信号検出ステップによる前記第２の検出信号に応じて前記駆動回路による駆動を開始させる制御ステップと、を有することを特徴とする電子機器のための制御方法。
【請求項１６】
請求項１〜１４のうちいずれか一項に記載の前記電子機器の各手段としてコンピュータを機能させるためのコンピュータプログラム。
【請求項１７】
請求項１６に記載のコンピュータプログラムを記憶したコンピュータで読み取り可能な記憶媒体。
【発明の詳細な説明】
【技術分野】
【０００１】
本発明は、昇圧回路を有する電子機器に関する。
【背景技術】
【０００２】
電子機器等の操作部を操作すると、一般的には操作完了をユーザーに通知するために操作部をメカ部材で振動させることでクリック感を出し、その振動をユーザーに伝達することで操作完了したことをフィードバックするものがある。一方で、操作部のメカ部材の振動を使用せずに操作完了をユーザーに通知するために、操作部の操作完了のタイミングに合わせて別の振動素子を振動させて操作完了を通知するものもある。
【０００３】
特許文献１では、筐体に取り付けられたセンサが押圧力に応じた検出信号を発生する。センサで発生した検出信号から押圧力を判定し、判定した押圧力に応じた操作信号の入力を行うとともに、押圧力に応じた駆動信号を、筐体を振動させる振動素子に供給する。
【先行技術文献】
【特許文献】
【０００４】
【特許文献１】特開２００５−３５２９２７号公報
【発明の概要】
【発明が解決しようとする課題】
【０００５】
これらの振動素子を振動させるには、例えばデジタルスチルカメラのような電池駆動の電子機器で使用している電圧、例えば３．７Ｖ〜７．４Ｖよりも大幅に高い例えば数十Ｖの電圧が必要になる。そのために昇圧回路が使われることが多い。また、操作部が操作された時にはすぐに振動素子を振動させてフィードバックを返したいが、常に高い電圧の生成（昇圧回路の動作）を行っていると電池駆動の電子機器の電力が増大してしまう。
電池駆動の電子機器は持ち運びのため小型軽量化されており、電池容量も限られているため少しでも消費電力を抑えて使用可能時間を延ばす必要がある。このようにして待機電流を減らす必要があるため必要な時のみ電源を昇圧回路を動作させたいが、操作部の操作完了通知を待ってから昇圧回路を動作開始すると、操作部の動作に対して振動素子の振動が遅延してしまいユーザーが違和感を持ってしまう。
【０００６】
これに対して特許文献１は、操作部の操作完了に合わせて振動素子から振動を発生する技術について述べられているが、電子機器の昇圧回路の動作タイミングついては改善されていない。
そしてこのような問題は、上記のような振動素子を有する電子機器だけに限らず、例えば電動モータを高電圧で駆動する電子機器や、表示装置のバックライト照明装置やストロボ等の照明装置などを有する電子機器においても発生する。即ち、電池等のバッテリから高圧を生成するための昇圧回路を有する電子機器において共通して生じる問題である。
これに対して本発明では、上記のような昇圧回路を有する電子機器において、消費電力の低減と速やかな高圧駆動を両立することが可能とする電子機器を提供することを目的とする。
【課題を解決するための手段】
【０００７】
本発明の電子機器は、
操作手段の操作を検出して第１の検出信号を生成する第１の信号検出手段と、
少なくとも前記操作手段の操作確定を検出して第２の検出信号を生成する第２の信号検出手段と、
電子機器の一部を高電圧で駆動するための駆動回路と、
前記駆動回路のための高電圧を作る昇圧回路と、
前記第１の信号検出手段からの前記第１の検出信号に応じて前記昇圧回路を起動するとともに、前記第２の信号検出手段からの前記第２の検出信号に応じて前記駆動回路による駆動を開始させる制御手段と、を有することを特徴とする。
【発明の効果】
【０００８】
本発明によれば、昇圧回路を有する電子機器において、消費電力の低減と速やかな高圧駆動を両立することができる。
【図面の簡単な説明】
【０００９】
【図１】実施例１の撮像装置の構成例を示す図である。
【図２】実施例１の撮像装置の外観の一例を示す図である。
【図３】実施例１の撮像装置の動作処理フローの例を示すフローチャートである。
【図４】実施例１の回転検出スイッチの波形の例を示す図である。
【図５】実施例２の撮像装置の動作処理フローの例を示すフローチャートである。
【図６】実施例２の撮像装置の動作シーケンスの例を示す図である。
【図７】実施例３の撮像装置の動作処理フローの例を示すフローチャートである。
【図８】実施例３の撮像装置の動作シーケンスの例を示す図である。
【発明を実施するための形態】
【００１０】
以下、図を用いて、本発明の実施形態に係る撮像装置を複数の実施例を用いて説明する。
【実施例１】
【００１１】
図１は、本発明の実施例１の振動素子駆動装置を有する撮像装置の構成例を示す図である。本実施例においては、電池駆動の電子機器の一例として、撮像装置としてのデジタルスチルカメラに適用した例について説明する。なお、ここで、撮像装置はデジタルカメラ、カメラ付きのスマートフォン、カメラ付きのタブレットコンピュータなどの携帯型で撮像機能を有する電子機器であれば良く、それらを含む。
本実施例においては、撮像装置１００は、鏡筒１０１、モータドライバ１０７、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１０９、撮像装置を制御するコンピュータプログラムを保存するフラッシュメモリ１１０を備える。また、この撮像装置は、カードコネクタ１１２、照明装置としてのストロボ１１３、ＣＰＵ（Ｃｅｎｔｒａｌ  Ｐｒｏｃｅｓｓｉｎｇ  Ｕｎｉｔ）１１４、音声ＣＯＤＥＣ（Ｃｏｄｅｒ／Ｄｅｃｏｄｅｒ）１１５、マイクロホン１１６、スピーカ１１７を備える。
【００１２】
カードコネクタ１１２には、着脱可能な外部メモリである不揮発性メモリ１１１を挿入することができ、不揮発性メモリ１１１を使用して外部機器にデータを持ちだすことが可能である。コンピュータとしてのＣＰＵ１１４は、制御手段として機能し、不図示のＲＯＭやＳＤＲＡＭ１０９等のメモリに記憶されたコンピュータプログラムに基づき装置全体の各種動作を実行することで撮像装置１００全体を制御する。また、撮像装置１００は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）コントローラ１１８、ＨＤＭＩ端子１１９、液晶パネルドライバ１２０、液晶パネル１２１、操作スイッチ１２２を備える。
【００１３】
鏡筒１０１は、フォーカシングモータ１０２、レンズ群１０３、ズームモータ１０４、絞り１０５、ＣＭＯＳ（Ｃｏｍｐｌｅｍｅｎｔａｒｙ  ｍｅｔａｌ−ｏｘｉｄｅ−ｓｅｍｉｃｏｎｄｕｃｔｏｒ）センサ１０６を備える。レンズ群１０３は、複数枚のレンズから構成されている。被写体からの光はレンズ群１０３を介して入射し、絞り１０５を通してＣＭＯＳセンサ１０６に到達する。フォーカシングモータ１０２が、ＣＭＯＳセンサ１０６の受光面と平行に配置されたレンズ群１０３に含まれる不図示のフォーカシングレンズを光軸方向に平行移動させる。これにより、フォーカシングレンズとＣＭＯＳセンサ１０６間の距離が調節され、被写体像がＣＭＯＳセンサ１０６上に結像する。これが焦点検出動作であり、この処理を自動的に行うのが自動焦点検出動作であるＡＦ（Ａｕｔｏ  Ｆｏｃｕｓ）である。
【００１４】
ズームモータ１０４が、鏡筒１０１に設けられたレンズ群１０３のズームレンズ等の位置を変化させることによって、ＣＭＯＳセンサ１０６に結像する被写体の焦点距離を調節することができる。ズームモータ１０４には、等間隔にスリットがある不図示の円盤が付いており、不図示のフォトインタラプタによってその回転数が読み取られる。これにより、レンズ群１０３の存在する位置を認識することができる。モータドライバ１０７はズームモータ１０４の回転数を制御することで、レンズ群１０３を所望のズーム位置に移動することが可能である。撮影時には、撮像装置１００と被写体との距離や角度によって、レンズ群１０３に入射する光線の入光量や角度が変化するので、撮影の都度、レンズ群１０３の位置を調整する焦点検出動作が必要になる。
【００１５】
絞り１０５は不図示のアイリスモータによって、被写体の明るさに応じて開口径が制御される。それによって、ＣＭＯＳセンサ１０６に入射する光量が制御され、最適な露出条件下での撮影を行うことができる。
ＣＭＯＳセンサ１０６の受光面に結像した被写体像に対してＣＭＯＳセンサ１０６で光電変換が行われ、ＣＭＯＳセンサ１０６の各画素において受光した光量に比例した電荷量が得られる。被写体像の明るい部分については大きな電荷量が得られ、被写体像の暗い部分の電荷量は小さくなる。すなわち、被写体像の濃淡を電荷量の差として得ることができる。
【００１６】
ＣＭＯＳセンサ１０６は、例えば数百万画素〜数千万画素で構成されており、それぞれの画素にマイクロレンズ、カラーフィルタが配置されている。例えばベイヤー配列で赤、緑、青のカラーフィルタを配置することで、３原色の入光量を得ることができ、その結果、フルカラー画像を得ることができる。
ＣＭＯＳセンサ１０６上の電荷は、画素毎に隣接して配置されている増幅器によって電圧に変換されて増幅されてから、不図示のＡ／Ｄ（Ａｎａｌｏｇ／Ｄｉｇｉｔａｌ）変換回路によってデジタル信号に変換されＣＰＵ１１４に入力される。ＣＰＵ１１４に入力された信号は、エッジ強調やノイズ除去、ホワイトバランス等の各種画像処理が行われる。
【００１７】
次に、動画像に同期して記録される音声の記録方法について説明を行う。マイクロホン１１６に入力された音は、マイクロホン１１６で電気信号に変換され、音声ＣＯＤＥＣ１１５に入力される。音声ＣＯＤＥＣ１１５に入力された信号は振幅数ｍＶの微弱な信号であるため、音声ＣＯＤＥＣ１１５内部のマイクアンプによって増幅される。増幅された音声信号は、音声ＣＯＤＥＣ１１５内部のＡ／Ｄ変換器によってアナログ信号からデジタル信号に変換される。
同じく音声ＣＯＤＥＣ１１５内部のハイパスフィルタや、ローパスフィルタを通過することで不要な周波数帯域の減衰処理が行われる。その後、ＳＤＲＡＭ１０９にデータが一時保存され、ＣＰＵ１１４が、動画データと同期を取ったうえで、音声付動画ファイルとして不揮発性メモリ１１１上にデータが保存される。
【００１８】
一方、動画再生時には、不揮発性メモリ１１１上に保存された音声付動画データが、ＳＤＲＡＭ１０９に一時保存される。ＣＰＵ１１４は、音声データと動画データを別々に扱い、音声データは音声ＣＯＤＥＣ１１５に転送される。音量を調整するためのゲイン調整等を行った後に、音声ＣＯＤＥＣ１１５内部のＤ／Ａ（Ｄｉｇｉｔａｌ／Ａｎａｌｏｇ）変換器によってデジタル信号からアナログ信号に変換される。続けて、音声ＣＯＤＥＣ１１５内部のローパスフィルタや、ハイパスフィルタを通過することで不要な周波数帯域の減衰処理が行われ、同じく音声ＣＯＤＥＣ１１５内部のスピーカアンプを介してスピーカ１１７から音声が出力される。
【００１９】
動画を液晶パネル１２１上に表示する場合には、ＣＰＵ１１４が、動画を液晶パネル１２１の表示領域に合わせて解像度を変換するリサイズ処理を行い、液晶パネルドライバ１２０に動画データを転送する。動画データを受信した液晶パネルドライバ１２０は、液晶パネル１２１に順次画像データを転送し、動画の表示を行う。ＣＰＵ１１４は、音声ＣＯＤＥＣ１１５と液晶パネルドライバ１２０の同期を取った状態で双方の制御を行い、音声と動画の同期を保って音声付動画の再生を行う。
各種画像処理が終了した画像データは、数メガバイト程度の大容量のデータとなる。この画像データは、ＪＰＥＧ（Ｊｏｉｎｔ  Ｐｈｏｔｏｇｒａｐｈｉｃ  Ｅｘｐｅｒｔｓ  Ｇｒｏｕｐ）方式等による画像圧縮処理が施された後に、フラッシュメモリ１１０やカードコネクタ１１２に挿入可能な不揮発性メモリ１１１等に保存される。
【００２０】
持ち運び可能な不揮発性メモリ１１１に画像データを記憶することで、撮像装置１００で撮影した画像を他のデバイス、例えば、パーソナルコンピュータやプリンタに転送する。これにより、大画面のディスプレイ上で画像を閲覧したり、写真紙にプリントアウトして写真として閲覧したりすることが可能になる。
このように、不揮発性メモリ１１１を介した画像出力の他に、表示手段としての液晶パネル１２１を備える撮像装置であれば、撮影した画像を、液晶パネルドライバ１２０を介して、撮影後すぐに液晶パネル１２１の画面上で確認することができる。液晶パネル１２１の上にはタッチパネル１３２が貼り付けられており、タッチパネル１３２にユーザーの指が近づくと、その部分の静電容量が変化する。タッチパネル１３２上のどの場所の静電容量がどれだけ変化したかをタッチパネルドライバ１３１が検出し、静電容量の変化の差分があらかじめ決められた閾値を超えるとユーザーの指が接触したと判断する。このようにしてユーザーがタッチパネル１３２を直接触って撮像装置を操作することもできる。
【００２１】
液晶パネル１２１は、撮像装置１００に内蔵されているため、複数人で同時に画像を閲覧することが困難な場合がある。このため、図１に示す撮像装置１００は、内部にＨＤＭＩコントローラ１１８、ＨＤＭＩ端子１１９を搭載しており、撮像装置１００から、不図示のＨＤＭＩケーブルを介して外部モニタ等に映像を出力することもできる。外部モニタは、液晶パネル１２１と比較して大画面であり、複数人で同時に画像の閲覧を楽しむことも可能である。１２３はＵＳＢ端子等の外部接続端子である。
電源制御ＩＣ（Ｉｎｔｅｇｒａｔｅｄ  Ｃｉｒｃｕｉｔ）１２４はＣＰＵ１１４の制御の下、電源１２５から電力の供給を受け、複数の必要な電圧を生成し、撮像装置１００の各回路に電力を供給している。
【００２２】
ストロボ１１３は、発光部を持ち、ＣＰＵ１１４の制御の下、発光を行う。発光部にはキセノン管やＬＥＤ（Ｌｉｇｈｔ  Ｅｍｉｔｔｉｎｇ  Ｄｉｏｄｅ）が用いられ、撮像装置１００で静止画撮影を行う時に、撮影に同期して閃光を発光することで適切な露光量での撮影を行うことができる。また、静止画撮影の前後のタイミングで発光させることで、ストロボ光を用いた効果的な撮影を行うこともできる。
また、発光部にＬＥＤを用いた場合、電流値を制御して長時間点灯すること持って可能なため、動画撮影時の補助光として使用することが可能である。暗い環境下で撮像装置１００が動画撮影を行う時に、ＬＥＤを補助光として適正輝度で点灯し続けることによって、適正露光の動画を得ることができる。
１２６は振動素子１２７を高圧で駆動するための駆動回路としての、振動素子制御回路であり、振動素子１２７に任意の高圧の駆動波形を印加することで振動素子を振動させることができる。また振動素子制御回路１２６には不図示の昇圧回路が内蔵されている。昇圧回路は例えばチャージポンプ回路とブースト回路等を含み、数ボルト程度のバッテリ電圧を数十ボルト程度まで昇圧するためのものである。なお、昇圧回路にはいろいろなタイプがあるが、例えば昇圧用のトランスと発振回路などから構成されるものであっても良い。なお、一般にこれらの昇圧回路は消費電力が大きいという問題がある。
振動素子制御回路１２６、振動素子１２７の動作については後述の実施例において詳述する。
【００２３】
１２８は操作手段の一つとしての、図２（Ａ）に示すような回転検出スイッチであり、フォトインタラプタＡ１２９、フォトインタラプタＢ１３０が接続されている。回転検出スイッチ１２８の動作がフォトインタラプタＡ１２９、フォトインタラプタＢ１３０によって波形として出力され、ＣＰＵ１１４に入力される。後述するが、出力波形は図４に示すフォトインタラプタＡの出力波形４０２とフォトインタラプタＢの出力波形４０３のような波形となり、２相の信号で回転検出を行っている。
ＣＰＵ１１４はフォトインタラプタＡ１２９、フォトインタラプタＢ１３０から入力された波形をＡ／Ｄ変換し、回転検出スイッチ１２８の回転方向と回転角度の情報を入手することができる。回転検出スイッチ１２８、フォトインタラプタＡ１２９、フォトインタラプタＢ１３０の動作については後述する。
【００２４】
図２は、撮像装置１００の外観の斜視図である。図２（Ａ）は撮像装置１００の正面斜視図を示し、図２（Ｂ）は撮像装置１００の背面斜視図を示す。
図２（Ａ）に示すように、撮像装置１００は、鏡筒１０１（沈胴状態）、ストロボ１１３、外部接続端子１２３、レリーズスイッチ２０１、回転検出スイッチ１２８の他、電源スイッチ２０３を備える。
また、図２（Ｂ）に示すように、撮像装置１００は、液晶パネル１２１、複数の操作スイッチ１２２、モードスイッチ２０５等を備える。液晶パネル１２１上には撮像装置１００の撮影モードが表示される。撮影者は、液晶パネル１２１上に表示される撮影モードを確認しながら、前記モードスイッチ２０５を操作したり、操作スイッチ１２２を操作したりすることで撮像装置１００の撮影モードを所望の撮影モードに遷移させることができる。
本実施例の撮像装置１００には、静止画撮影モード、動画撮影モードなどの撮影モードと、撮影した画像を確認するための再生モード等が用意されている。更に、様々な撮影条件をユーザーが設定することができるマニュアルモードや、撮影シーンに合わせて最適な撮影が可能な各種撮影シーンモードを備えるようにしてもよい。
【００２５】
実施例１では操作手段の一つとして回転検出スイッチを有しており、２つのフォトインタラプタが出力する波形の位相差によって回転検出スイッチの回転を検出している。
以下、図３、図４を用いて撮像装置１００の動作について説明する。図３、図４においては、操作手段として回転検出スイッチ（回転操作部材）を用いた例を示している。また、図３は、撮像装置の動作処理フローの例を示すフローチャートであり、図４は回転検出スイッチの波形の例を示す図である。
【００２６】
最初に図４において、回転検出スイッチ１２８の回転角度はフォトインタラプタＡとフォトインタラプタＢが出力する信号波形の位相差によって検出される。回転検出スイッチ１２８には櫛歯状のスリット付きの円板（図示を省略）が回転軸についており、回転検出スイッチ１２８が回転するとスリット付き円板が同じ回転速度で回転する。スリット付き円板には回転方向に一定の幅で複数のスリットが設けられている。フォトインタラプタには、発光素子と受光素子が一つのパッケージ内に組み込まれており、スリット付き円板を挟むように設置されて撮像装置１００に固定されている。回転検出スイッチ１２８が回転するとスリット付き円板のスリット部／非スリット部で受光素子の受光量が変化し、その変化回数をカウントすることによって回転角度を検出することができる。
【００２７】
フォトインタラプタＡ１２９とフォトインタラプタＢ１３０は回転スイッチの回転による受光素子の受光量の位相が９０°ずれるように配置されている。なお、このフォトインタラプタＡ１２９とフォトインタラプタＢ１３０の位相差から回転方向も検出できるようになっている。
図４において、フォトインタラプタＡの出力波形４０２とフォトインタラプタＢの出力波形４０３は、回転検出スイッチ１２８が回転したときに２つのフォトインタラプタからそれぞれ出力される波形である。クリックポジション４０１、４０１−１、４０１−２は回転検出スイッチ１２８のメカ的な停止位置（クリック位置）を示しており、これ以外の場所ではメカ的に安定して停止せず、基本的にはクリックポジション４０１、４０１−１、４０１−２のいずれかの場所で回転検出スイッチ１２８が安定して停止する構成となっている。
【００２８】
例えば回転検出スイッチ１２８が時計回りの回転をした場合、クリックポジション４０１から次のクリックポジション４０１−１までに、フォトインタラプタＡの出力波形４０２とフォトインタラプタＢの出力波形４０３は、図４のＡ→Ｂ→Ｃ→Ｄ→Ｅで示すように遷移（４相変化）する。
Ａ：Ｈｉｇｈ／Ｈｉｇｈ
Ｂ：Ｈｉｇｈ／Ｌｏｗ
Ｃ：Ｌｏｗ／Ｌｏｗ
Ｄ：Ｌｏｗ／Ｈｉｇｈ
Ｅ：Ｈｉｇｈ／Ｈｉｇｈ
【００２９】
回転検出スイッチ１２８が反時計回りの場合、クリックポジション４０１から次のクリックポジション４０１−１までに、フォトインタラプタＡの出力波形４０２とフォトインタラプタＢの出力波形４０３は、図４のＥ→Ｄ→Ｃ→Ｂ→Ａで示すように遷移（４相変化）する。
Ｅ：Ｈｉｇｈ／Ｈｉｇｈ
Ｄ：Ｌｏｗ／Ｈｉｇｈ
Ｃ：Ｌｏｗ／Ｌｏｗ
Ｂ：Ｈｉｇｈ／Ｌｏｗ
Ａ：Ｈｉｇｈ／Ｈｉｇｈ
【００３０】
以上のように、２つのフォトインタラプタの出力波形の組み合わせが４相変化することで１クリックを検出している。また、４相の変化の順番に基づき回転方向を検出することができる。
次に図３のフローチャートを用いて撮像装置１００の動作例について説明する。
図３のステップＳ３０１で、撮像装置１００の電源スイッチ２０３がＯＮになっているかどうかの判断を行う。撮像装置１００の電源がＯＮであると判断したらステップＳ３０２へ移行する。撮像装置１００の電源がＯＮでないと判断したらステップＳ３０１に戻る。
【００３１】
ステップＳ３０２において、フォトインタラプタＡの出力波形４０２が変化したかどうかの判断を行う。フォトインタラプタＡの出力波形４０２が変化したと判断したら、ステップＳ３０４に移行し、フォトインタラプタＡの出力波形４０２が変化していないと判断したら、ステップＳ３０３に移行する。
ステップＳ３０３では、フォトインタラプタＢの出力波形４０３が変化したかどうかの判断を行う。フォトインタラプタＢの出力波形４０３が変化したと判断したら、ステップＳ３０４に移行し、フォトインタラプタＢの出力波形４０３が変化していないと判断したら、ステップＳ３０２に戻る。この場合、上記ステップＳ３０２とＳ３０３の組み合わせによって操作手段の操作の開始（回転開始）を検出して第１の検出信号を生成する第１の信号検出手段がＣＰＵ１１４によって構成されている。
【００３２】
ステップＳ３０４では、ステップＳ３０２、ステップＳ３０３の処理によって、フォトインタラプタＡの出力波形４０２もしくはフォトインタラプタＢの出力波形４０３が変化していることが検出されている。このようにして、フォトインタラプタＡの出力波形４０２もしくはフォトインタラプタＢの出力波形４０３のいずれかが変化していることを検出したら、ＣＰＵ１１４が振動素子制御回路１２６に対して昇圧回路を起動するように制御を行う。すなわち、操作部である回転検出スイッチ１２８の操作が開始された際に速やかに昇圧回路を起動することができる。
【００３３】
次に、ステップＳ３０５に移行して、フォトインタラプタＡの出力波形４０２とフォトインタラプタＢの出力波形４０３が次のクリックポジション４０１まで移動したかどうかの判断を行う。フォトインタラプタＡの出力波形４０２とフォトインタラプタＢの出力波形４０３が次のクリックポジション４０１まで移動したと判断した場合には、ステップＳ３０６に移行する。フォトインタラプタＡの出力波形４０２とフォトインタラプタＢの出力波形４０３が次のクリックポジションまで移動していないと判定した場合には、回転検出スイッチ１２８が回転中とあると判断してステップＳ３０５に戻る。
【００３４】
ステップＳ３０６でＹｅｓ、即ち、撮像装置１００の電源電圧または振動素子制御回路１２６の昇圧回路の入力電圧があらかじめ決められた閾値以上であると判断した場合、ステップＳ３０７に移行する。ステップＳ３０６でＮｏの場合、ステップＳ３０６に戻る。ここで、上記の閾値は、振動素子制御回路１２６が振動素子１２７を問題なく駆動できる電圧にあらかじめ設定しておく。
【００３５】
ステップＳ３０６でＹｅｓの場合、ステップＳ３０７において、ＣＰＵ１１４が振動素子制御回路１２６に対して振動素子１２７を振動させるように制御を行う。すなわち、操作部である回転検出スイッチ１２８のＳ３０５における操作に伴って速やかに振動が発生することになる。ここで、ステップＳ３０５とＳ３０６の組み合わせによって、少なくとも前記操作手段の回転操作の確定（クリックポジションにあること）を検出して第２の検出信号を生成する第２の信号検出手段が構成されている。また、第２の信号検出手段は、電源電圧または前記昇圧回路の入力電圧があらかじめ決められた電圧に到達したことを条件として前記第２の検出信号を生成している。
なお、図４において、本実施例における駆動タイミング例をパターン１とパターン２として示す。即ち、パターン１における昇圧回路の電圧波形Ａ４０４、振動素子の振動波形Ａ４０５を示すとともに、パターン２における昇圧回路の電圧波形Ａ４０６、振動素子の振動波形Ａ４０７を対比して示している。
【００３６】
パターン１では、昇圧回路の電圧波形Ａ４０４に示すように、操作部である回転検出スイッチ１２８の操作完了、すなわちクリックポジション４０１の移動を検出してから振動素子制御回路１２６の昇圧回路の起動を行っている。従って、操作部である回転検出スイッチ１２８の操作がなされた場合にこれを検出して昇圧回路を起動することができる。このパターン１の場合には、図４のＥの波形タイミングで操作手段の操作開始（回転開始）を検出して第１の検出信号を生成することになり、その際に、ＣＰＵ１１４によって第１の信号検出手段が構成されることになる。
ただしパターン１の場合には、昇圧回路が起動し、十分に電圧が上昇して振動素子の振動が可能になるまでには数十ｍ秒の時間がかかってしまう場合がある。回転検出スイッチ１２８の回転は、高速に回すと数十ｍ秒でクリックポジションが変化する。従って、クリックポジションの移動検出を行ってから昇圧動作を行うと、意図したクリックポジションでの振動素子の振動が出来ず、次のクリックポジション以降からでしか振動素子の振動が出来ない場合がある。この場合、回転検出スイッチ１２８を回して最初の１クリック目は振動素子が振動せず、２クリック目から振動素子が振動するため、ユーザーが１クリック目は空振りして動作しなかったと勘違いしてしまう恐れがある。
【００３７】
即ち、パターン１では、クリックポジション４０１への移動が完了してから振動素子の振動波形Ａ４０５に示す振動素子１２７の振動の開始までの時間にタイムラグが発生してしまう。このタイムラグによってユーザーは回転検出スイッチ１２８の操作完了と振動素子の振動波形Ａ４０５の時間差による違和感を覚えてしまう可能性がある。一方で、この違和感を無くすために振動素子制御回路１２６の昇圧回路を起動させたままにしておくと、撮像装置の消費電力が上昇してしまい、動作可能時間や撮影可能枚数の低減につながってしまう。
【００３８】
このため、図３のフローに示したように、パターン２によって昇圧回路の電圧波形Ａ４０６に示すタイミングでＣＰＵ１１４が振動素子制御回路１２６の昇圧回路を起動するように制御を行うことが望ましい。
即ち、クリックポジション４０１ではフォトインタラプタＡの出力波形４０２、フォトインタラプタＢの出力波形４０３はそれぞれＨｉｇｈになっている。回転検出スイッチ１２８が回転するとフォトインタラプタＡの出力波形４０２もしくはフォトインタラプタＢの出力波形４０３がＬｏｗに変化するため、回転検出スイッチ１２８が回転し始めたことがわかる。このようにして、フォトインタラプタＡの出力波形４０２もしくはフォトインタラプタＢの出力波形４０３のいずれかの波形の変化を検出したら直ちに、振動素子制御回路１２６の昇圧回路を起動するように制御を行う。この場合、上記のようにフォトインタラプタＡの出力波形４０２もしくはフォトインタラプタＢの出力波形４０３のいずれかの波形の変化を検出することにより、操作手段の操作を検出して第１の検出信号を生成する第１の信号検出手段が構成されることになる。
【００３９】
このようにすることで、操作部である回転検出スイッチ１２８の操作完了、すなわちクリックポジション４０１が次のクリックポジションに移動した時点で振動素子制御回路１２６の昇圧回路は動作をすでに開始していることとなる。クリックポジション４０１への移動完了から振動素子の振動波形Ａ４０７に示す振動素子１２７の振動の開始までの時間と、振動素子の振動波形Ａ４０５に示す振動素子１２７の振動の開始までの時間を比較する。両者を比較すると、振動素子の振動波形Ａ４０７に示す振動素子１２７の振動の開始までの時間の方が短縮されている。従って、ユーザーの違和感を低減することができる。従ってクリックポジション４０１の移動完了時点で振動素子制御回路１２６の昇圧回路が十分に昇圧されていれば、すぐに振動素子１２７の振動を行うことができるため、ユーザーはほとんどタイムラグを感じずに操作を行うことができる。その意味でパターン１よりパターン２の方が望ましい。
以上のように、実施例１においては、第１の信号検出手段からの前記第１の検出信号に応じて前記昇圧回路を起動している点に特徴を有する。更にまた、少なくとも前記操作手段の操作確定を検出する第２の信号検出手段からの第２の検出信号に応じて前記駆動回路による駆動を開始させる制御手段を有する点にも特徴を有する。
【実施例２】
【００４０】
次に、図５、図６を参照して実施例２の撮像装置について説明する。図５、図６においては、操作手段として静電容量検出方式のタッチパネルを用いた例を示している。図５は実施例２の撮像装置の動作処理フローを示すフローチャートであり、図６は実施例２のタッチパネルの波形の例を示す図である。
【００４１】
まず、図５の動作処理フローにおいて、撮像装置１００の電源スイッチ２０３がＯＮとなっているかどうかの判断を行う（ステップＳ５０１）。撮像装置１００の電源がＯＮとなっていると判断したらステップＳ５０２へ移行する。撮像装置１００の電源がＯＮでないと判断したらステップＳ５０１に戻る。
ここで実施例２においては、図６のタッチパネル静電容量６０１に示すように、タッチパネル１３２にユーザーの指が近づくと、人体は静電容量を有しているためタッチパネル１３２上の指を近づけた部分の静電容量が上昇する。タッチパネルドライバ１３１は、タッチパネル１３２上の複数の位置で静電容量の変化を検出することで、タッチパネル１３２のどの部分にユーザーの指が存在しているかを検出している。
【００４２】
通常、タッチパネル１３２は前記静電容量の変化を検出することでユーザーの指の接触を検出し、指が接触した部分の液晶パネル１２１部に表示されている項目の変更を行うフィードバックを行っている。本実施例においては、ユーザーの指の接触を検出する前にユーザーの指の接近についても検出を行い、ユーザーの指がタッチパネル１３２にある程度接近したことを検出したら振動素子制御回路１２６の昇圧回路を起動させる制御を行う。
上記構成を踏まえて、引き続き実施例２の動作処理フローについての説明を続ける。
【００４３】
ステップＳ５０１において、撮像装置１００の電源がＯＮになっていると判断したらステップＳ５０２において、タッチパネル１３２のユーザーの指が近づいた部分の静電容量が静電容量閾値Ａ６０２を超えたかどうかの判断を行う（ステップＳ５０２）。ここで、静電容量閾値Ａ６０２は、ユーザーの指がタッチパネル１３２に接触した時の静電容量よりも小さく、ユーザーの指がタッチパネル１３２から離れている時の静電容量よりも大きい値に設定する。
ステップＳ５０２において、タッチパネル１３２のユーザーの指が近づいた部分の静電容量が静電容量閾値Ａ６０２を超えたと判断した場合、ステップＳ５０３に移行する。ステップＳ５０２において、タッチパネル１３２のユーザーの指が近づいた部分の静電容量が静電容量閾値Ａ６０２を超えていないと判断した場合、ステップＳ５０２に戻る。この場合、上記ステップＳ５０２によって操作手段の操作（タッチパネルへの接近）を検出して第１の検出信号を生成する第１の信号検出手段が構成されている。
ステップＳ５０３に移行したら、ＣＰＵ１１４が振動素子制御回路１２６の昇圧回路を起動するよう制御を行う。すなわち、操作部であるタッチパネル１３２の操作が開始された際に速やかに昇圧回路を起動することができる。
【００４４】
次に、ステップＳ５０４において、タッチパネル１３２のユーザーの指が近づいた部分の静電容量が静電容量閾値Ｂ６０３（第２の閾値）を超えたかどうかの判断を行う。ここで、静電容量閾値Ｂ６０３は、ユーザーの指がタッチパネル１３２に接触したことを検出するための閾値であり、前述の静電容量閾値Ａ６０２（第１の閾値）の静電容量よりも十分大きな値に設定する。ステップＳ５０４において、タッチパネル１３２のユーザーの指が近づいた部分の静電容量が静電容量閾値Ｂ６０３を超えたと判断した場合、ステップＳ５０５に移行する。ステップＳ５０４において、タッチパネル１３２のユーザーの指が近づいた部分の静電容量が静電容量閾値Ｂ６０３を超えていないと判断した場合、ステップＳ５０４に戻る。
【００４５】
ステップＳ５０５において、電源電圧または振動素子制御回路１２６の昇圧回路の入力電圧があらかじめ決められた閾値以上であると判断した場合（ステップＳ５０５でＹｅｓの場合）、ステップＳ５０６に移行する。電源電圧または振動素子制御回路１２６の昇圧回路の入力電圧があらかじめ決められた閾値より小さいと判断した場合、ステップＳ５０５に戻る。ここで、上記の閾値は、振動素子制御回路１２６が振動素子１２７を問題なく駆動できる電圧にあらかじめ設定しておく。
ステップＳ５０５において、Ｙｅｓの場合、ステップＳ５０６において、ＣＰＵ１１４が振動素子制御回路１２６に対して振動素子１２７を振動させるように制御を行う。ここで、ステップＳ５０４とＳ５０５の組み合わせによって、少なくとも操作手段の操作確定を検出して第２の検出信号を生成する第２の信号検出手段が構成されている。なお、上記のように第２の信号検出手段は、電源電圧または前記昇圧回路の入力電圧があらかじめ決められた電圧に到達したことを条件として前記第２の検出信号を生成していることになる。
【００４６】
図６において、本実施例における駆動タイミング例をパターン３とパターン４として示す。
即ち、タッチパネル静電容量６０１、昇圧回路の電圧波形（パターン３）Ｂ６０４、振動素子の振動波形（パターン３）Ｂ６０５のシーケンスが示されている。また、昇圧回路の電圧波形（パターン４）Ｂ６０６、振動素子の振動波形（パターン４）Ｂ６０７それぞれのシーケンスが示されている。
パターン３では、昇圧回路の電圧波形Ｂ６０４に示すように、タッチパネル静電容量６０１が静電容量閾値Ｂ６０３を超えたことを検出してから振動素子制御回路１２６の昇圧回路の起動を行っている。
従って、操作部である回転検出スイッチ１２８の操作がなされた場合にそれを検出して昇圧回路を起動することができる。この場合、タッチパネル静電容量６０１が静電容量閾値Ｂ６０３を超えたことを検出することによって、操作手段の操作（タッチパネルへの接近）を検出して第１の検出信号を生成する第１の信号検出手段がＣＰＵ１１４によって構成されている。
ただしパターン３では、昇圧回路が起動し、十分に電圧が上昇して振動素子の振動が可能になるまでには数十ｍ秒の時間がかかってしまう場合がある。
【００４７】
この場合、タッチパネル静電容量６０１が静電容量閾値Ｂ６０３を超えたことを検出してから振動素子の振動波形Ｂ６０５に示す振動素子１２７の振動の開始までの時間にタイムラグが発生してしまう。
このタイムラグによってユーザーは、ユーザーの指のタッチパネルへの接触と、振動素子の振動波形Ｂ６０５に示す振動素子１２７の振動の開始までの時間差による違和感を覚えてしまう可能性がある。一方で、前述のように、この違和感を無くすために振動素子制御回路１２６の昇圧回路を起動させたままにしておくと、撮像装置の消費電力が上昇してしまい、動作可能時間や撮影可能枚数の低減につながってしまう。
【００４８】
そこで、パターン３をさらに改良したパターン４では、昇圧回路の電圧波形Ｂ６０６に示すタイミングでＣＰＵ１１４が振動素子制御回路１２６の昇圧回路を起動するように制御を行う。なおパターン４が図５のフローチャートに対応している。すなわち、タッチパネル静電容量６０１が静電容量閾値Ａ６０２を超えたと判断したらすぐに、振動素子制御回路１２６の昇圧回路を起動するように制御を行う。即ち、タッチパネル静電容量６０１が静電容量閾値Ａ６０２（第１の閾値）を超えたことを検出することによって、操作手段の操作（タッチパネルへの接近）を検出して第１の検出信号を生成する第１の信号検出手段がＣＰＵ１１４によって構成されることになる。
このようにすることで、タッチパネル１３２にユーザーの指が近づいてきた時点で振動素子制御回路１２６の昇圧回路は動作をすでに開始していることとなる。タッチパネル１３２にユーザーの指が接触した時点から振動素子の振動波形Ｂ６０７に示す振動素子１２７の振動の開始までの時間を比較する。両者を比較すると、振動素子の振動波形Ｂ６０５に示す振動素子１２７の振動の開始までの時間と比べて短縮されており、ユーザーの違和感を低減することができる。その意味でパターン３よりパターン４の方が望ましい。
【００４９】
従って、タッチパネル１３２にユーザーの指が接触した時点で振動素子制御回路１２６の昇圧回路が十分に昇圧されていれば、すぐに振動素子１２７の振動を行うことができるため、ユーザーはほとんどタイムラグを感じずに操作を行うことができる。
【実施例３】
【００５０】
次に、図７、図８を参照して実施例３の撮像装置について説明する。図７、図８においては操作スイッチ１２２として押し釦スイッチ等のメカスイッチ（タクタイルスイッチ）を用いている。
なお、本実施例のメカスイッチはＯＮにしたときに出力信号にチャタリングを生じる特性を有するものとする。
図７は実施例３の撮像装置の動作処理フローの例を示すフローチャートである。図８は、実施例３のメカスイッチの出力波形の例を示す図である。
【００５１】
まず、図７の動作処理フローにおいて、撮像装置１００の電源スイッチ２０３がＯＮになっているかどうかの判断を行う（ステップＳ７０１）。撮像装置１００の電源がＯＮになっていると判断したらステップＳ７０２へ移行する。撮像装置１００の電源がＯＮになっていないと判断したらステップＳ７０１に戻る。
【００５２】
ここで、図８において、操作スイッチ（メカスイッチ）の出力波形８０３に示すように、操作スイッチ１２２が押下されるとＬｏｗ信号波形が出力される。しかし、操作スイッチ１２２のメカ的なチャタリングが発生して操作スイッチ１２２押下直後はしばらくの間、波形がバタついてしまいＬｏｗ／Ｈｉｇｈが頻繁に変動してしまう。このチャタリングによる信号の誤検出を回避するために、本実施例ではＣＰＵ１１４が操作スイッチ１２２の出力信号を、時間間隔を開けて複数回取得している。例えばＣＰＵ１１４は操作スイッチ１２２が押下されてから１０ｍ秒毎に信号波形を検出し、３回連続Ｌｏｗを検出すると操作スイッチ１２２の押下が確定するといった制御を行う。あるいは操作スイッチ１２２の出力信号の変化を検出してから所定の遅延時間が経過したら操作スイッチ１２２の押下が確定したと判断するものであっても良い。
【００５３】
図７のステップＳ７０１において、撮像装置１００の電源がＯＮであると判断したら、操作スイッチ１２２の押下が１回でも行われたかの判断を行う（ステップＳ７０２）。ステップＳ７０２において、操作スイッチ１２２の押下が１回でも行われたと判断した場合、即ち、操作スイッチ１２２の出力信号の変化を検出したらステップＳ７０３に移行する。ステップＳ７０２において、操作スイッチ１２２の押下がされていないと判断した場合、ステップＳ７０２に戻る。なお、ここで、操作スイッチ１２２の押下が行われたかの判断は、操作スイッチ１２２の出力波形を、時間間隔を開けて複数回取得し（例えば１０ｍ秒毎）、Ｈｉｇｈ波形からＬｏｗ波形の出力変化が１回でも確認されれば押下が行われたと判断する。
ステップＳ７０３に移行したら、ＣＰＵ１１４が振動素子制御回路１２６の昇圧回路を起動するよう制御を行う。従って、操作手段としての操作スイッチ１２２の操作が開始された際に速やかに昇圧回路を起動することができる。この場合、操作スイッチ１２２の出力信号の変化を検出することによって、操作手段の操作を検出して第１の検出信号を生成する第１の信号検出手段が構成されることになる。
【００５４】
次に、操作スイッチ１２２の押下が確定されているかの判断を行う（ステップＳ７０４）。ここで、操作スイッチ１２２の押下が確定したかの判断は、ＣＰＵ１１４が操作スイッチ１２２の出力波形を、時間間隔を開けて複数回取得し（例えば１０ｍ秒毎）、Ｌｏｗの出力が３回連続検出できた場合に操作スイッチ１２２の押下が確定したと判断する。即ち、操作スイッチ１２２の操作開始後のチャタリング終了後の操作スイッチ１２２の出力信号を検出して操作スイッチ１２２の押下が確定したと判断する。ステップＳ７０４において、操作スイッチ１２２の押下が確定したと判断した場合、ステップＳ７０５に移行する。ステップＳ７０５において、操作スイッチ１２２の押下が確定していないと判断した場合、ステップＳ７０５に戻る。
【００５５】
ステップＳ７０５において、撮像装置の電源電圧または振動素子制御回路１２６の昇圧回路の入力電圧が所定値以上であると判断した場合、ステップＳ７０６に移行する。電源電圧または振動素子制御回路１２６の昇圧回路の入力電圧が所定値より低いと判断した場合、ステップＳ７０５に戻る。
ステップＳ７０６において、撮像装置の電源電圧または振動素子制御回路１２６の昇圧回路の入力電圧が所定値以上であると判断した場合、ＣＰＵ１１４が振動素子制御回路１２６に対して振動素子１２７を振動させるように制御を行う。従って、操作部である操作スイッチ１２２のＳ７０４における操作に伴って速やかに振動が発生することになる。
ここで、ステップＳ７０４とＳ７０５の組み合わせによって、少なくとも前記操作手段の操作確定を検出して第２の検出信号を生成する第２の信号検出手段が構成されている。なお、上記のように第２の信号検出手段は、電源電圧または前記昇圧回路の入力電圧があらかじめ決められた電圧に到達したことを条件として前記第２の検出信号を生成している。
【００５６】
図８において、本実施例における駆動タイミング例をパターン５とパターン６として示す。
即ち、パターン５における操作スイッチの出力波形８０３、昇圧回路の電圧波形Ｃ８０４、振動素子の振動波形Ｃ８０５のシーケンスが示されている。また、パターン６における昇圧回路の電圧波形Ｃ８０６、振動素子の振動波形Ｃ８０７それぞれのシーケンスが示されている。
パターン５では、昇圧回路の電圧波形Ｃ８０４に示すように、ＣＰＵ１１４が操作スイッチ１２２の出力信号のチャタリングが終わった直後のタイミングで検出してから振動素子制御回路１２６の昇圧回路の起動を行っている。従って、操作部である操作スイッチ１２２の操作がなされた場合にそれを検出して昇圧回路を起動することができる。この場合、操作スイッチ１２２の出力信号を若干遅延した後に検出することによって、操作手段の操作を検出して第１の検出信号を生成する第１の信号検出手段がＣＰＵ１１４によって構成されている。
ただし、パターン５では、昇圧回路の電圧波形Ｃ８０４に示すように、操作スイッチ１２２の押下がされてから振動素子の振動波形Ｃ８０５に示す振動素子１２７の振動の開始までの時間にタイムラグが発生してしまう。
【００５７】
このタイムラグによってユーザーは、操作スイッチ１２２の押下と、振動素子の振動波形Ｃ８０５に示す振動素子１２７の振動の開始までの時間差による違和感を覚える可能性がある。一方で、前述のように、この違和感を無くすために振動素子制御回路１２６の昇圧回路を起動させたままにしておくと、撮像装置の消費電力が上昇してしまい、動作可能時間や撮影可能枚数の低減につながってしまう。
このため、図７のフローチャートに示したようなパターン６では、昇圧回路の電圧波形Ｃ８０６に示すタイミングでＣＰＵ１１４が振動素子制御回路１２６の昇圧回路を起動するように制御を行う。すなわち、操作スイッチ１２２の押下が１回でも行われ操作スイッチ１２２の出力信号が変化したと判断したらすぐに、振動素子制御回路１２６の昇圧回路を起動するように制御を行う。
この場合、操作スイッチ１２２の出力信号の変化を検出することによって、操作手段の操作を検出して第１の検出信号を生成する第１の信号検出手段が構成されることになる。
【００５８】
このようにすることで、操作スイッチ１２２の押下が１回でも行われたと判断した時点で振動素子制御回路１２６の昇圧回路は動作をすでに開始していることとなる。操作スイッチ１２２の押下が確定した時点から振動波形Ｃ８０７に示す振動の開始までの時間は、振動素子の振動波形Ｃ８０５に示す振動素子１２７の振動の開始までの時間と比べて短縮されている。従って、ユーザーの違和感を低減することができる。
もし操作スイッチ１２２の押下が確定した時点で振動素子制御回路１２６の昇圧回路が十分に昇圧されていれば、すぐに振動素子１２７の振動を行うことができるため、ユーザーはほとんどタイムラグを感じずに操作を行うことができる。その意味でパターン５よりパターン６の方が望ましい。
【００５９】
なお、本実施例においては、電子機器として撮像装置であるデジタルスチルカメラに適用した場合を挙げているが、その他の各種の電子機器に本発明を適用することが可能である。
また、操作手段として回転スイッチ、タッチパネル、メカスイッチを例として挙げているが、レバースイッチ、キーボードやマウスなどのボタン、その他様々な操作部材に対して本発明を適用することも可能である。
また、昇圧回路を有する回路として振動素子駆動回路を一例として挙げているが、超音波モータ等の電動モータを駆動するための駆動回路であっても良い。あるいは表示装置の照明手段としてのバックライト駆動回路や、ストロボ等の照明手段としての閃光発光装置等の高電圧を必要とする照明手段を駆動するための駆動回路であっても良い。その他の昇圧回路を用いて高電圧で駆動するための駆動回路を有する各種の電子機器に対して本発明を適用することが可能である。
【００６０】
また、本発明は上記実施例に限定されるものではなく、本発明の主旨に基づき種々の変形が可能であり、それらを本発明の範囲から除外するものではない。
また、本実施例における制御の一部または全部を上述した実施例の機能を実現するコンピュータプログラムをネットワーク又は各種記憶媒体を介して電子機器に供給するようにしてもよい。そしてその電子機器におけるコンピュータ（又はＣＰＵやＭＰＵ等）がプログラムを読み出して実行するようにしてもよい。その場合、そのプログラム、及び該プログラムを記憶した記憶媒体は本発明を構成することとなる。
【符号の説明】
【００６１】
１００・・・・撮像装置
１１４・・・・ＣＰＵ
１２０・・・・液晶パネルドライバ
１２１・・・・液晶パネル
１２２・・・・操作スイッチ
１２６・・・・振動素子制御回路
１２７・・・・振動素子
１２８・・・・回転検出スイッチ
１２９・・・・フォトインタラプタＡ
１３０・・・・フォトインタラプタＢ
１３１・・・・タッチパネルドライバ
１３２・・・・タッチパネル
【図１】
2020161946.tif 000003
【図２】
2020161946.tif 000004
【図３】
2020161946.tif 000005
【図４】
2020161946.tif 000006
【図５】
2020161946.tif 000007
【図６】
2020161946.tif 000008
【図７】
2020161946.tif 000009
【図８】
2020161946.tif 000010